(57)【要約】【課題】  レース生地等の装飾生地を表地として用いたお洒落な見た目のものでありながら、ゴムテープを用いることなく優れたフィット感が得られるようにした下着を提供する。【解決手段】  表地１０の一側の縁部α１と裏地２０の一側の縁部β１とを縫合して、表地１０の他側の縁部α２と裏地２０の他側の縁部β２とを縫合することにより、表地１０と裏地２０とが一体化された下着用複層生地を得る下着用複層生地の製造方法において、表地１０の少なくとも一部を装飾生地で形成し、裏地２０の略全体を弾性生地で形成するとともに、表地１０の縁部α１と裏地２０の縁部β１とを縫合し、表地１０の縁部α２と裏地２０の縁部β２とを縫合して、表地１０及び裏地２０をウラオモテの筒状に形成した後、筒状に形成された表地１０及び裏地２０を裏返すことによって、下着用複層生地を製造するようにした。
2020004548.tif 000002
【特許請求の範囲】
【請求項１】
表地の一側の縁部α１と裏地の一側の縁部β１とを縫合して、
表地の他側の縁部α２と裏地の他側の縁部β２とを縫合する
ことにより、
表地と裏地とが一体化された下着用複層生地を得る下着用複層生地の製造方法であって、
表地の少なくとも一部を装飾生地で形成し、
裏地の略全体を弾性生地で形成するとともに、
表地の縁部α１と裏地の縁部β１とを縫合し、表地の縁部α２と裏地の縁部β２とを縫合して、表地及び裏地をウラオモテの筒状に形成した後、筒状に形成された表地及び裏地を裏返す
ことを特徴とする下着用複層生地の製造方法。
【請求項２】
表地の略全体を装飾生地で形成し、
表地及び裏地を、それぞれのウラ面が同じ側を向くように開いた状態に配しながらも、表地の縁部α１のウラ面側に、裏地の縁部β１が重なった状態とする第一重合工程と、
互いに重なった状態の表地の縁部α１と裏地の縁部β１とを縫合する第一縫合工程と、
表地を、第一縫合工程における縫合線に沿って裏地のオモテ面側に折り返すことにより、裏地の縁部β２に、表地の縁部α２が重なった状態とする第二重合工程と、
互いに重なった状態の表地の縁部α２と裏地の縁部β２とを縫合して、表地及び裏地をウラオモテの筒状にする第二縫合工程と、
筒状にされた表地及び裏地を裏返す裏返し工程と
を経る請求項１記載の下着用複層生地の製造方法。
【請求項３】
表地として、縁部α１にスカラップが施された装飾生地を用いるとともに、
第一縫合工程において、表地におけるスカラップが施された部分よりも内側の縫合線に沿って表地の縁部α１と裏地の縁部β１とを縫合する
請求項２記載の下着用複層生地の製造方法。

【請求項４】
裏返し工程の後に、
表地の縁部α１と裏地の縁部β１とを、第一縫合工程における縫合線よりも内側で三点縫いするとともに、表地の縁部α２と裏地の縁部β２とを、第二縫合工程における縫合線よりも内側で三点縫いする三点縫い工程を設けた
請求項２又は３記載の下着用複層生地の製造方法。
【請求項５】
表地としてレース生地を用い、
裏地としてパワーネット又はベア天竺を用いた
請求項２〜４いずれか記載の下着用複層生地の製造方法。

【請求項６】
表地を、
装飾生地からなる第一表地と、
第一表地に対して接続された弾性生地からなる第二表地と
で構成し、
裏地を、
弾性生地からなる第一裏地と、
第一裏地に対して接続された弾性生地からなる第二裏地と
で構成するとともに、
表地のオモテ面に対して裏地のオモテ面を重ね、表地の縁部α１を裏地の縁部β１に重ね、表地の縁部α２を裏地の縁部β２に重ねる両縁部重合工程と、
互いに重なった状態の表地の縁部α１と裏地の縁部β１とを縫合するとともに、互いに重なった状態の表地の縁部α２と裏地の縁部β２とを縫合して、表地及び裏地をウラオモテの筒状にする両縁部縫合工程と、
筒状にされた表地及び裏地を裏返す裏返し工程と
を経る請求項１記載の下着用複層生地の製造方法。
【請求項７】
表地が、
第一表地のオモテ面に第二表地のオモテ面を重ね、第一表地と第二表地の接続縁部が重なった状態とする表地重合工程と、
互いに重なった状態の第一表地と第二表地の接続縁部を縫合する表地縫合工程と、
第二表地を、第二表地のオモテ面が第一表地のオモテ面と同じ側を向くように、表地縫合工程における縫合線に沿って開く表地展開工程と
を経ることによって形成されたものとされ、
裏地が、
第一裏地のオモテ面に第二裏地のオモテ面を重ね、第一裏地と第二裏地の接続縁部が重なった状態とする裏地重合工程と、
互いに重なった状態の第一裏地と第二裏地の接続縁部を縫合する裏地縫合工程と、
第二裏地を、第二裏地のオモテ面が第一裏地のオモテ面と同じ側を向くように、裏地縫合工程における縫合線に沿って開く裏地展開工程と
を経ることによって形成されたものとされた
請求項４記載の下着用複層生地の製造方法。
【請求項８】
裏返し工程の後に、
表地の縁部α１と裏地の縁部β１とを、両縁部縫合工程における縫合線よりも内側で三点縫いするとともに、表地の縁部α２と裏地の縁部β２とを、両縁部縫合工程における縫合線よりも内側で三点縫いする三点縫い工程を設けた
請求項６又は７記載の下着用複層生地の製造方法。
【請求項９】
第一表地としてレース生地を用い、
第二表地、第一裏地及び第二裏地としてパワーネット又はベア天竺を用いた
請求項６〜８いずれか記載の下着用複層生地の製造方法。
【請求項１０】
請求項１〜９いずれか記載の製造方法で得られた下着用複層生地を用いて下着を製造する下着の製造方法。
【発明の詳細な説明】
【技術分野】
【０００１】
本発明は、装飾生地及び弾性生地からなる下着用複層生地の製造方法と、その下着用複層生地を用いた下着の製造方法とに関する。
【背景技術】
【０００２】
一般的なブラジャーでは、着用者の脇下から背中に掛け回されるベルト状の部分（当該部分は、「バック部分」と呼ばれることが多い。）のウラ面側の下縁に沿って、「アンダーテープ」と呼ばれるゴムテープが縫着される（例えば、特許文献１の図１における「アンダーテープ４」を参照。）。この種のゴムテープは、バック部分の下縁に沿った箇所に加えて、バック部分の上縁に沿った箇所に縫着されることもある。このゴムテープによって、ブラジャーのフィット感を高めてずり上がりを防止することが可能となっている。ところが、ブラジャーのバック部分にゴムテープを設けると、そのゴムテープによって着用者の皮膚が局所的に圧迫されるようになるため、ブラジャーの付け心地が悪くなるだけでなく、その跡が着用者の皮膚に残りやすいという問題がある。【０００３】
また、一般的なショーツにおいても、脚ぐりの部分やウエストの部分には、ゴムテープが縫着される（例えば、特許文献２の図１における「弾性帯１４ａ，１４ｂ」を参照。）。このゴムテープによって、ショーツのフィット感を高めて、脚ぐり部分のずり上がりや、ウエスト部分のずれ下がりを防止することが可能となっている。ところが、ショーツの脚ぐり部分やウエスト部分にゴムテープを縫着すると、ゴムテープの縫着部分が着用者の皮膚を局所的に圧迫するようになるため、ショーツの履き心地が悪くなるだけでなく、その後が着用者の皮膚に残りやすいという問題がある。特に、ショーツにおける股布（クロッチ）の両側の側縁にゴムテープを縫着すると、そのゴムテープが設けられた部分が女性のデリケートな部分に当たり、着用者が痛みを感じる虞がある。【０００４】
このような実状に鑑みて、これまでには、バック部分にゴムテープを用いないようにしたブラジャーも提案されている。例えば、特許文献３の図３及び段落００１５等には、伸縮性を有する２枚の布片を重ねてその上辺部及び下辺部を固着して筒状に形成したパーツで、ブラジャーのバック部分を構成する技術が記載されている。特許文献３の段落００３０等には、上記の構成を採用することにより、ブラジャーの付け心地を良好にするだけでなく、ゴムテープの後が着用者の皮膚に残らないようにすることが可能になる旨も記載されている。【０００５】
また、ショーツにおいては、その構成生地を伸縮性生地によって形成するとともに、その構成生地を熱溶着することによって製造された無縫製タイプのものも提案されている。例えば、特許文献４の図１には、前身頃前当て部２、前身頃側部３、後身頃４及びクロッチ布５（股布）で構成されたショーツ１であって、前身頃前当部２と後身頃４とを、熱可塑性接着フィルムを介して融着したものが記載されている。特許文献４の段落０００６等には、上記の構成を採用することにより、縫い目を有さず肌あたりの良いショーツを提供することが可能になる旨も記載されている。
【先行技術文献】
【特許文献】
【０００６】
【特許文献１】特開２００２−２９４５０３号公報
【特許文献２】実登第３１５０９８８号公報
【特許文献３】特開平１１−０６１５１０号公報
【特許文献４】実登第３１３１８６４号公報
【発明の概要】
【発明が解決しようとする課題】
【０００７】
ところが、上記の特許文献３の技術は、シンプルなデザインのブラジャーでは採用することができるものの、レース生地等の装飾生地を表地に用いるブラジャーでは採用することが難しかった。特に、その縁部にスカラップ（半円を連ねた波形の部分）等の縁飾りが施された装飾生地を表地として用いる場合に特許文献１の技術を採用すると、その縁飾りが施された部分が内側に折り返された状態で裏地に固着されてしまうため、折角の縁飾りが無駄になるだけでなく、かえって見た目が悪くなる虞もあった。【０００８】
また、上記の特許文献４の技術も、シンプルなデザインのショーツでは採用することができるものの、レース生地等の装飾生地を表地に用いるショーツでは採用することが難しかった。というのも、レース生地等の装飾生地を表地として使用しようとすると、その装飾生地を裏地に対して縫着する必要がある。このため、装飾生地（表地）の端縁の処理が難しくなるからである。【０００９】
本発明は、上記課題を解決するために為されたものであり、レース生地等の装飾生地を表地として用いたお洒落な見た目のものでありながら、ゴムテープを用いることなく優れたフィット感が得られるようにした下着を提供するものである。また、斯様な下着において、装飾生地の端縁の処理を美しく仕上げることも本発明の目的である。
【課題を解決するための手段】
【００１０】
上記課題は、
表地の一側の縁部α１と裏地の一側の縁部β１とを縫合して、
表地の他側の縁部α２と裏地の他側の縁部β２とを縫合する
ことにより、
表地と裏地とが一体化された下着用複層生地を得る下着用複層生地の製造方法であって、
表地の少なくとも一部を装飾生地で形成し、
裏地の略全体を弾性生地で形成するとともに、
表地の縁部α１と裏地の縁部β１とを縫合し、表地の縁部α２と裏地の縁部β２とを縫合して、表地及び裏地をウラオモテの筒状に形成した後、筒状に形成された表地及び裏地を裏返す
ことを特徴とする下着用複層生地の製造方法
を提供することによって解決される。【００１１】
上記の方法で製造された下着用複層生地は、裏地として弾性生地が用いられており、この裏地の略全体によって着用者の肌を面状に押圧することによって、下着のずり上がりやずり落ちを防止できるものとなっている。すなわち、下着から着用者の肌に加わる押圧力（締付力）を、裏地の略全体に分散させることができるようになっている。このため、着用者の肌が局所的に圧迫されないようにして、優れたフィット感が得られるようにしながらも、下着の着心地を良好にすることや、下着の跡が着用者の肌に残らないようにすることが可能となっている。【００１２】
また、上記の方法で製造された下着用複層生地は、表地として装飾生地が用いられているため、見た目がお洒落なものとなっている。さらに、上記の方法では、装飾生地からなる表地と弾性生地からなる裏地とをウラオモテの筒状に形成した後、裏返すため、装飾生地の端縁を美しく仕上げることもできる。【００１３】
本発明の下着用複層生地の製造方法には、表地（装飾生地）の一側の縁部α１を除く３つの縁部α２，β１，β２が内側に折り返された状態とする態様（第一実施態様）と、表地（装飾生地）の一側の縁部α１を含めた４つの縁部α１，α２，β１，β２の全てが内側に折り返された状態とする態様（第二実施態様）との２パターンがある。【００１４】
このうち、第一実施態様の下着用複層生地の製造方法は、
表地の略全体を装飾生地で形成し、
表地及び裏地を、それぞれのウラ面が同じ側を向くように開いた状態に配しながらも、表地の縁部α１のウラ面側に、裏地の縁部β１が重なった状態とする第一重合工程と、
互いに重なった状態の表地の縁部α１と裏地の縁部β１とを縫合する第一縫合工程と、
表地を、第一縫合工程における縫合線に沿って裏地のオモテ面側に折り返すことにより、裏地の縁部β２に、表地の縁部α２が重なった状態とする第二重合工程と、
互いに重なった状態の表地の縁部α２と裏地の縁部β２とを縫合して、表地及び裏地をウラオモテの筒状にする第二縫合工程と、
筒状にされた表地及び裏地を裏返す裏返し工程と
を経る
方法である。【００１５】
第一実施態様の下着用複層生地の製造方法で下着用複層生地を製造すると、表地（装飾生地）の縁部α２と、裏地（弾性生地）の縁部β１及び縁部β２は、内側に折り返された状態になるものの、表地（装飾生地）の縁部α１は、内側に折り返されることなく真っすぐな状態になるようになっている。このため、表地（装飾生地）の縁部α１に縁飾りを施しておけば、その縁飾りを綺麗に見せることも可能である。例えば、表地として、縁部α１にスカラップ（縁飾り）が施された装飾生地を用いるとともに、第一縫合工程において、表地におけるスカラップ（縁飾り）が施された部分よりも内側の縫合線に沿って表地の縁部α１と裏地の縁部β１とを縫合すれば、スカラップ（縁飾り）を綺麗に見せることが可能になる。第一実施態様の下着用複層生地の製造方法で製造される下着用複層生地（以下、「第一実施態様の下着用複層生地」と呼ぶことがある。）は、ブラジャーのバック部分（本願の図２における符号１０１を参照。）や、ショーツのサイド部分（本願の図３における符号２０１）を形成する生地として好適に採用することができる。【００１６】
第一実施態様の下着用複層生地の製造方法においては、裏返し工程の後に、表地の縁部α１と裏地の縁部β１とを、第一縫合工程における縫合線よりも内側で三点縫いするとともに、表地の縁部α２と裏地の縁部β２とを、第二縫合工程における縫合線よりも内側で三点縫いする三点縫い工程を設けることが好ましい。【００１７】
このように、三点縫い工程を行うことによって、表地の縁部α１と裏地の縁部β１、及び、表地の縁部α２と裏地の縁部β２を、細い線状ではなく、ある程度幅を有する帯状に縫合することができる。このため、裏地（弾性生地）に対して表地（装飾生地）をより安定した状態で一体化させることができる。特に、レース生地は、目が大きく、引張力に対して弱い生地であるため、表地（装飾生地）としてレース生地を用いる場合に、表地（装飾生地）と裏地（弾性生地）とを線状に縫合すると、下着用複層生地が伸長等する際に、その縫合部分で表地（装飾生地）が破れる虞がある。この点、上記の三点縫いに係る構成を採用することによって、表地（装飾生地）と裏地（弾性生地）との縫合部分にかかる力を分散し、表地（装飾生地）を破れにくくすることが可能になる。【００１８】
第一実施態様の下着用複層生地の製造方法において、表地として用いる装飾生地は、フリルや刺繍が施された生地等であってもよいが、レース生地であることが好ましい。表地（装飾生地）としてレース生地を用いた下着は、高級感のあるお洒落な見た目のものとなることに加えて、レース生地には、上記のスカラップ等の縁飾りが施されているものが多く、表地（装飾生地）としてレース生地を用いると、本発明に係る構成を採用する意義が高まるからである。特に、ストレッチ性を有するレース生地（ストレッチレース）を用いると、弾性生地の伸長に容易に追従できる程度のストレッチ性を表地（装飾生地）に付与することも可能になるために好ましい。【００１９】
一方、裏地として用いる弾性生地は、弾性的に伸長する生地であれば、特に限定されないが、パワーネットやベア天竺を用いることが好ましい。ここで、パワーネットとは、ポリウレタン弾性糸を織製又は編製したメッシュ生地のことを云い、ベア天竺とは、ポリウレタン糸を軸にして綿糸やウール糸等の他の素材の糸を巻き付けた糸（カバードヤーン）を用いて織製又は編製した天竺生地のことを云う。パワーネットやベア天竺は、ストレッチ性に優れるだけでなく、丈夫であり、シワになりにくいという特徴を有しているため、第一実施態様の下着用複層生地における裏地として好適に用いることができる。【００２０】
また、第二実施態様の下着用複層生地の製造方法は、
表地を、
装飾生地からなる第一表地と、
第一表地に対して接続された弾性生地からなる第二表地と
で構成し、
裏地を、
弾性生地からなる第一裏地と、
第一裏地に対して接続された弾性生地からなる第二裏地と
で構成するとともに、
表地のオモテ面に対して裏地のオモテ面を重ね、表地の縁部α１を裏地の縁部β１に重ね、表地の縁部α２を裏地の縁部β２に重ねる両縁部重合工程と、
互いに重なった状態の表地の縁部α１と裏地の縁部β１とを縫合するとともに、互いに重なった状態の表地の縁部α２と裏地の縁部β２とを縫合して、表地及び裏地をウラオモテの筒状にする両縁部縫合工程と、
筒状にされた表地及び裏地を裏返す裏返し工程と
を経る
方法である。【００２１】
第二実施態様の下着用複層生地の製造方法で下着用複層生地を製造すると、表地（装飾生地）の縁部α１及び縁部α２、並びに、裏地（弾性生地）の縁部β１及び縁部β２の全てが、内側に折り返された状態となる。このため、表地及び裏地における４つの縁部α１，α２，β１，β２の全てをスッキリと綺麗に仕上げることが可能になる。第二実施態様の下着用複層生地の製造方法において、表地にスカラップ等の縁飾りを施したい場合には、表地における縁部α１，α２，以外の縁部に施すとよい。第二実施態様の下着用複層生地の製造方法で製造される下着用複層生地（以下、「第二実施態様の下着用複層生地」と呼ぶことがある。）は、ショーツの前身頃及び股布（本願の図１１における符号２０４）を形成する生地として好適に採用することができる。【００２２】
第二実施態様の下着用複層生地の製造方法においては、
表地を、
第一表地のオモテ面に第二表地のオモテ面を重ね、第一表地と第二表地の接続縁部が重なった状態とする表地重合工程と、
互いに重なった状態の第一表地と第二表地の接続縁部を縫合する表地縫合工程と、
第二表地を、第二表地のオモテ面が第一表地のオモテ面と同じ側を向くように、表地縫合工程における縫合線に沿って開く表地展開工程と
を経ることによって形成されたものとし、
裏地を、
第一裏地のオモテ面に第二裏地のオモテ面を重ね、第一裏地と第二裏地の接続縁部が重なった状態とする裏地重合工程と、
互いに重なった状態の第一裏地と第二裏地の接続縁部を縫合する裏地縫合工程と、
第二裏地を、第二裏地のオモテ面が第一裏地のオモテ面と同じ側を向くように、裏地縫合工程における縫合線に沿って開く裏地展開工程と
を経ることによって形成されたものとする
ことも好ましい。【００２３】
この場合、上記の両縁部重合工程では、上記の表地展開工程で展開された状態の表地のオモテ面に対して、上記の裏地展開工程で展開された状態の裏地のオモテ面を重ねるようにする。これにより、表地が第一表地と第二表地とで構成され、裏地が第一裏地と第二裏地とで構成されるという比較的複雑な構成を有する下着用複層生地を、見た目の良い状態で容易に製造することが可能になる。【００２４】
第二実施態様の下着用複層生地の製造方法においては、裏返し工程の後に、表地の縁部α１と裏地の縁部β１とを、両縁部縫合工程における縫合線よりも内側で三点縫いするとともに、表地の縁部α２と裏地の縁部β２とを、両縁部縫合工程における縫合線よりも内側で三点縫いする三点縫い工程を設けることが好ましい。その趣旨は、第一実施態様の下着用複層生地の製造方法における三点縫い工程でのべたものと同様であるため、説明を割愛する。【００２５】
第二実施態様の下着用複層生地の製造方法において、第一表地として用いる装飾生地は、フリルや刺繍が施された生地等であってもよいが、レース生地であることが好ましい。表地（装飾生地）としてレース生地を用いた下着は、高級感のあるお洒落な見た目のものとなるからである。特に、ストレッチ性を有するレース生地（ストレッチレース）を用いると、弾性生地の伸長に容易に追従できる程度のストレッチ性を表地（装飾生地）に付与することも可能になるために好ましい。【００２６】
一方、第二表地や裏地（第一裏地及び第二裏地）として用いる弾性生地は、弾性的に伸長する生地であれば、特に限定されないが、パワーネットやベア天竺を用いることが好ましい。パワーネットやベア天竺は、ストレッチ性に優れるだけでなく、丈夫であり、シワになりにくいという特徴を有しているため、第二実施態様の下着用複層生地における第二表地及び裏地（第一裏地及び第二裏地）として好適に用いることができる。
【発明の効果】
【００２７】
以上のように、本発明によって、レース生地等の装飾生地を表地として用いたお洒落な見た目のものでありながら、ゴムテープを用いることなく優れたフィット感が得られるようにした下着を提供することが可能になる。また、斯様な下着において、装飾生地の端縁の処理を美しく仕上げることも可能になる。
【図面の簡単な説明】
【００２８】
【図１】第一実施態様の下着用複層生地の製造方法で製造された下着用複層生地を示した図である。
【図２】ブラジャーを正面から見た図である。
【図３】ショーツを正面から見た図である。
【図４】第一実施態様の下着用複層生地の製造方法において、第一重合工程を終えたときの装飾生地（表地）と弾性生地（裏地）との状態を示した図である。
【図５】第一実施態様の下着用複層生地の製造方法において、第一縫合工程を終えたときの装飾生地（表地）と弾性生地（裏地）との状態を示した図である。
【図６】第一実施態様の下着用複層生地の製造方法において、第二重合工程を終えたときの装飾生地（表地）と弾性生地（裏地）との状態を示した図である。
【図７】第一実施態様の下着用複層生地の製造方法において、第二縫合工程を終えたときの装飾生地（表地）と弾性生地（裏地）との状態を示した図である。
【図８】第一実施態様の下着用複層生地の製造方法において、裏返し工程を終えたときの装飾生地（表地）と弾性生地（裏地）との状態を示した図である。
【図９】第一実施態様の下着用複層生地の製造方法において、三点縫い工程を終えたときの装飾生地（表地）と弾性生地（裏地）との状態を示した図である。
【図１０】第二実施態様の下着用複層生地の製造方法で製造された下着用複層生地を示した図である。
【図１１】第二実施態様の下着用複層生地を用いたショーツを正面から見た図である。
【図１２】第二実施態様の下着用複層生地の製造方法において、表地重合工程及び表地縫合工程を終えたときの表地（第一表地及び第二表地）の状態を示した図である。
【図１３】第二実施態様の下着用複層生地の製造方法において、表地展開工程を終えたときの表地（第一表地及び第二表地）の状態を示した図である。
【図１４】第二実施態様の下着用複層生地の製造方法において、裏地重合工程及び裏地縫合工程を終えたときの裏地（第一裏地及び第二裏地）の状態を示した図である。
【図１５】第二実施態様の下着用複層生地の製造方法において、裏地展開工程を終えたときの裏地（第一裏地及び第二裏地）の状態を示した図である。
【図１６】第二実施態様の下着用複層生地の製造方法において、両縁部重合工程及び両縁部縫合工程を終えたときの表地及び裏地の状態を示した図である。
【図１７】第二実施態様の下着用複層生地の製造方法において、裏返し工程を終えたときの表地及び裏地の状態を示した図である。
【発明を実施するための形態】
【００２９】
本発明の下着用複層生地の製造方法について、図面を用いてより具体的に説明する。以下においては、２つの実施態様（第一実施態様及び第二実施態様）を例に挙げて、本発明の下着用複層生地を説明する。
【００３０】
１．第一実施態様の下着用複層生地の製造方法
まず、第一実施態様の下着用複層生地の製造方法について説明する。図１は、第一実施態様の下着用複層生地の製造方法で製造された下着用複層生地（第一実施態様の下着用複層生地）を示した図である。図１（ａ）は、下着用複層生地を表側（表地１０のオモテ面１０Ａ側）から見た状態を、図１（ｂ）は、下着用生地をそれに垂直な平面で切断した状態をそれぞれ示している。
【００３１】
第一実施態様の下着用複層生地は、図１（ａ）に示すように、表地１０と裏地２０とで構成される。この下着用複層生地は、図１（ｂ）に示すように、表地１０の一側の縁部α１（同図の例では下縁部）と裏地２０の一側の縁部β１（同図の例では下縁部）とが縫合される（縫合線Ｓ１，Ｓ３を参照）とともに、表地１０の他側の縁部α２（同図の例では上縁部）と裏地２０の他側の縁部β２（同図の例では上縁部）とが縫合される（縫合線Ｓ２，Ｓ４を参照）ことにより、表地１０と裏地２０とが筒状に一体化されたものとなっている。
【００３２】
表地１０と裏地２０は、重ね合わせて一体化されるものであるため、通常、概略同一形状とされる。表地１０及び裏地２０の形状は、下着用複層生地を用いる下着パーツによっても異なり、特に限定されない。ここでは、表地１０及び裏地２０はいずれも、長手方向における一方の端部（図１の紙面に向かって左側の端部）から他方の端部（図１の紙面に向かって右側の端部）に近づくにつれて短手方向の幅（図１では上下幅）が広くなる略四角形状としている。
【００３３】
第一実施態様の下着用複層生地は、下着を構成するパーツとして用いられる。第一実施態様の下着用複層生地は、男性用下着のパーツとして用いることもできるが、後述するように、その表地１０をレース生地等の装飾生地で構成するものであるため、可愛らしさやセクシーさが要求される女性用下着のパーツとして好適に用いることができる。例えば、図２に示すブラジャー１００における、着用者の脇下から背中に掛け回されるベルト状の部分（バック部分１０１）や、図３に示すショーツ２００における、着用者の太腿の付根周辺を覆う部分（サイド部分２０１）等として好適に用いることができる。図２は、ブラジャー１００を正面から見た図である。図３は、ショーツ２００を正面から見た図である。このほか、ガードルやボディスーツのパーツとしても用いることができる。
【００３４】
第一実施態様の下着用複層生地では、その裏地２０（図１）として、弾性（ストレッチ性）を有する生地（弾性生地）が選択される。本例では、裏地２０として、パワーネットを用いている。このように、裏地２０を弾性生地とすることによって、ゴムテープを用いなくても、下着用複層生地を着用者の肌にフィットしやすくして、下着のずり上がりやずり落ちを防止することが可能になる。加えて、下着用複層生地から着用者の肌に加わる押圧力（締付力）を、裏地２０の略全体に分散させて、着用者の肌が局所的に圧迫されないようにすることも可能になる。このため、下着の着心地を良好にできるだけでなく、下着の跡が着用者の肌に残らないようにすることも可能になる。
【００３５】
一方、第一実施態様の下着用複層生地では、その表地１０（図１）として、装飾が施された生地（装飾生地）が選択される。ここでは、表地１０として、弾性（ストレッチ性）を有するレース生地（ストレッチレース）を用いている。このように、裏地２０だけでなく、表地１０も弾性（ストレッチ性）を有する生地とすることによって、下着用複層生地を着用者の肌によりフィットしやすいものとすることができる。また、表地１０を装飾生地とすることによって、下着の見た目をお洒落にすることができる。本例では、表地１０の一側の縁部α１（下縁部）に、縁飾りとしてスカラップ１３を施しており、下着用複層生地の見た目をより華やかにしている。
【００３６】
このように、第一実施態様の下着用複層生地の製造方法で製造される下着用複層生地（第一実施態様の下着用複層生地）は、フィット感、着心地及び見た目のいずれもが良好なものとなっている。第一実施態様の下着用複層生地の製造方法においては、後述する第一重合工程と、第一縫合工程と、第二重合工程と、第二縫合工程と、裏返し工程と、三点縫い工程とを経て、このような下着用複層生地を製造している。以下においては、これらの工程について、順に説明する。
【００３７】
［第一重合工程］
図４は、第一実施態様の下着用複層生地の製造方法において、第一重合工程を終えたときの装飾生地（表地１０）と弾性生地（裏地２０）との状態を示した図である。図４（ａ）は、下着用複層生地を裏側（表地１０のウラ面１０Ｂ側及び裏地２０のウラ面２０Ｂ側）から見た状態を、図４（ｂ）は、表地１０及び裏地２０をそれぞれに垂直な平面で切断した状態を示している。
【００３８】
第一重合工程は、図４に示すように、表地１０及び裏地２０を、それぞれのウラ面１０Ｂ，２０Ｂが同じ側を向くように開いた状態に配しながらも、表地１０の縁部α１のウラ面１０Ｂ側に、裏地２０の縁部β１が重なった状態とする工程となっている。本例のように、表地１０として、スカラップ１３等の縁飾りが施されたものを用いる場合には、このスカラップ１３等の縁飾りが施された側の縁部が、縁部α１（裏地２０に重ねられる側の縁部）となるようにする。
【００３９】
この第一重合工程は、通常、ミシンテーブル上で行われる。第一重合工程を終えると、続いて、第一縫合工程が行われる。
【００４０】
［第一縫合工程］
図５は、第一実施態様の下着用複層生地の製造方法において、第一縫合工程を終えたときの装飾生地（表地１０）と弾性生地（裏地２０）との状態を示した図である。図５（ａ）は、下着用複層生地を裏側（表地１０のウラ面１０Ｂ側及び裏地２０のウラ面２０Ｂ側）から見た状態を、図５（ｂ）は、表地１０及び裏地２０をそれぞれに垂直な平面で切断した状態を示している。
【００４１】
第一縫合工程は、図５の縫合線Ｓ１に示すように、互いに重なった状態の表地１０の縁部α１と裏地２０の縁部β１とを縫合する工程である。これにより、表地１０と裏地２０は、その縁部α１と縁部β１とで繋がった状態となる。縫合線Ｓ１における縫合は、通常、ミシンを用いて行われる。縫合線Ｓ１での縫合方法は、特に限定されないが、通常、並縫いや返し縫い等の直線縫いとされる。
【００４２】
ところで、本例のように、表地１０として、スカラップ１３等の縁飾りが施されたものを用いる場合には、第一縫合工程における縫合線Ｓ１が、表地１０におけるスカラップ１３等の縁飾りが施された部分よりも内側（縁部α２側）となるようにすることが好ましい。これにより、完成後の下着用複層生地において、スカラップ等の縁飾りを綺麗に見せることが可能になる。
【００４３】
第一縫合工程を終えると、続いて、第二重合工程が行われる。
【００４４】
［第二重合工程］
第二重合工程は、図５（ｂ）の矢印Ａ１に示すように、表地１０を、第一縫合工程における縫合線Ｓ１に沿って裏地２０のオモテ面２０Ａ側に折り返す工程である。これにより、図６に示すように、裏地２０の縁部β２に、表地１０の縁部α２が重なった状態となる。図６は、第一実施態様の下着用複層生地の製造方法において、第二重合工程を終えたときの装飾生地（表地１０）と弾性生地（裏地２０）との状態を示した図である。図６（ａ）は、下着用複層生地を裏地２０のウラ面２０Ｂ側から見た状態を、図６（ｂ）は、表地１０及び裏地２０をそれぞれに垂直な平面で切断した状態を示している。
【００４５】
第二重合工程を終えると、続いて、第二縫合工程が行われる。
【００４６】
［第二縫合工程］
図７は、第一実施態様の下着用複層生地の製造方法において、第二縫合工程を終えたときの装飾生地（表地１０）と弾性生地（裏地２０）との状態を示した図である。図７（ａ）は、下着用複層生地を裏地２０のウラ面２０Ｂ側から見た状態を、図７（ｂ）は、表地１０及び裏地２０をそれぞれに垂直な平面で切断した状態を示している。
【００４７】
第二縫合工程は、図７の縫合線Ｓ２に示すように、互いに重なった状態の表地１０の縁部α２と裏地２０の縁部β２とを縫合して、表地１０及び裏地２０を筒状にする工程である。第二縫合工程を終えると、表地１０及び裏地２０は、ウラオモテの筒状（表地１０のオモテ面１０Ａ及び裏地２０のオモテ面２０Ａが内周面を為し、表地１０のウラ面１０Ｂ及び裏地２０のウラ面２０Ｂが外周面を為す筒状）に形成された状態となっている。縫合線Ｓ２における縫合は、縫合線Ｓ１における縫合と同様、通常、ミシンを用いて行われる。また、縫合線Ｓ２での縫合方法も、特に限定されないが、縫合線Ｓ１における縫合と同様、通常、並縫いや返し縫い等の直線縫いとされる。
【００４８】
第二縫合工程を終えると、続いて、裏返し工程が行われる。
【００４９】
［裏返し工程］
裏返し工程は、図７（ａ）の矢印Ａ２に示すように、筒状に縫合された表地１０及び裏地２０における一方の開口端部（同図においては紙面に向かって左側の開口端部）を、表地１０及び裏地２０で構成される筒の内部に導き入れて他方の開口端部（同図においては紙面に向かって右側の開口端部）から引き出すことにより、表地１０及び裏地２０を裏返す工程である。これにより、図８に示すように、表地１０及び裏地２０で構成される筒が裏返された状態となる。図８は、第一実施態様の下着用複層生地の製造方法において、裏返し工程を終えたときの装飾生地（表地１０）と弾性生地（裏地２０）との状態を示した図である。図８（ａ）は、下着用複層生地を裏地２０のオモテ面２０Ａ側から見た状態を、図８（ｂ）は、表地１０及び裏地２０をそれぞれに垂直な平面で切断した状態を示している。
【００５０】
裏返し工程を行う前においては、図７に示すように、表地１０及び裏地２０のウラ面１０Ｂ，２０Ｂが外部に露出した状態（ウラ面１０Ｂ，２０Ｂが筒の外周面となる状態）となっており、表地１０及び裏地２０のオモテ面１０Ａ，２０Ａが外部に露出しない状態（オモテ面１０Ａ，２０Ａが筒の内周面となる状態）となっていた。これに対し、裏返し工程を行った後においては、図８に示すように、表地１０及び裏地２０のオモテ面１０Ａ，２０Ａが外部に露出した状態（オモテ面１０Ａ，２０Ａが筒の外周面となる状態）となっており、表地１０及び裏地２０のウラ面１０Ｂ，２０Ｂが外部に露出しない状態（ウラ面１０Ｂ，２０Ｂが筒の内周面となる状態）となっている。
【００５１】
また、裏返し工程を行う前においては、図７に示すように、表地１０の縁部α１は、筒の内部に折り返されて、その端縁が隠れた状態となっているものの、表地１０の縁部α２と裏地２０の縁部β１，β２は、その端縁が筒の外部に露出した状態となっている。これに対し、裏返し工程を行った後においては、図８に示すように、表地１０の縁部α１は、その端縁が筒の外部に露出した状態となり、表地１０の縁部α２と裏地２０の縁部β１，β２は、筒の内部に折り返されて、その端縁が隠れた状態となっている。
【００５２】
本例においては、既に述べたように、表地１０の縁部α１には、スカラップ１３を施しているところ、上記の裏返し工程を行うことで、このスカラップ１３が施された縁部α１が、自然で綺麗に見えるようになる。スカラップ１３の端縁（縁部α１の端縁）は、通常、裁断端（裁断された端縁）ではなく、織製又は編製によって形成された端縁となっているため、筒の外部に露出していても、ほつれにくい部分となっている。これに対し、表地１０の縁部α２及び裏地２０の縁部β１，β２における端縁は、通常、生地を裁断したままの裁断端となっているところ、上記の裏返し工程を行うことで、これらの裁断端を筒の内側に隠し、見た目をスッキリさせるだけでなく、これらの裁断端がほつれないようにすることが可能となっている。
【００５３】
裏返し工程を終えると、続いて、三点縫い工程が行われる。
【００５４】
［三点縫い工程］
図９は、第一実施態様の下着用複層生地の製造方法において、三点縫い工程を終えたときの装飾生地（表地１０）と弾性生地（裏地２０）との状態を示した図である。図９（ａ）は、下着用複層生地を裏地２０のオモテ面２０Ａ側から見た状態を、図９（ｂ）は、表地１０及び裏地２０をそれぞれに垂直な平面で切断した状態を示している。
【００５５】
三点縫い工程は、図９に示すように、表地１０の縁部α１と裏地２０の縁部β１とを、第一縫合工程における縫合線Ｓ１よりも内側（縁部α２，β２寄り）の縫合線Ｓ３と、第二縫合工程における縫合線Ｓ２よりも内側（縁部α１，β１寄り）の縫合線Ｓ４とで三点縫いする工程である。本例において表地１０として使用したレース生地は、引張力に対して強くない生地であるため、縫合線Ｓ１，Ｓ２における直線縫いのみで裏地２０に対して縫合していると、下着用複層生地を引っ張った際等に、縫合線Ｓ１，Ｓ２の部分で表地１０が破れる虞がある。この点、表地１０と裏地２０とを縫合線Ｓ３，Ｓ４で三点縫いすることによって、表地１０を破れにくくすることができる。また、裏地２０に対して表地１０をより安定した状態で一体化させることも可能となる。
【００５６】
三点縫い工程を終えると、第一実施態様の下着用複層生地の製造が完了する。得られた下着用複層生地は、ブラジャーのバック部分や、ショーツのサイド部分等、下着を構成するパーツとして、下着の製造に使用される。
【００５７】
２．第二実施態様の下着用複層生地の製造方法
続いて、第二実施態様の下着用複層生地の製造方法について説明する。第二実施態様の下着用複層生地の製造方法については、主に、上述した第一実施態様の下着用複層生地の製造方法と異なる部分について説明する。第二実施態様の下着用複層生地の製造方法で特に言及しない構成については、第一実施態様の下着用複層生地の製造方法で述べたものと略同様の構成を採用することができる。
【００５８】
図１０は、第二実施態様の下着用複層生地の製造方法で製造された下着用複層生地（第二実施態様の下着用複層生地）を示した図である。図１０（ａ）は、下着用複層生地を表側（表地１０のオモテ面１１Ａ，１２Ａ側）から見た状態を、図１０（ｂ）は、下着用生地をそれに垂直な平面で切断した状態をそれぞれ示している。
【００５９】
第二実施態様の下着用複層生地は、図１０（ａ）に示すように、表地１０と裏地２０とで構成される。この下着用複層生地は、表地１０の一側の縁部α１（同図の例では、紙面に向かって左側の縁部）と裏地２０の一側の縁部β１（同図の例では、紙面に向かって左側の縁部）とが縫合されるとともに、表地１０の他側の縁部α２（同図の例では、紙面に向かって右側の縁部）と裏地２０の他側の縁部β２（同図の例では、紙面に向かって右側の縁部）とが縫合されることにより、表地１０と裏地２０とが筒状に一体化されたものとなっている。
【００６０】
上述した第一実施態様の下着用複層生地では、図１に示すように、表地１０及び裏地２０が、それぞれ１枚の生地によって構成されていたが、第二実施態様の下着用複層生地では、図１０に示すように、表地１０及び裏地２０が、それぞれ２枚の生地によって構成されている。すなわち、表地１０は、第一表地１１と、第一表地１１に対して接続された第二表地１２とで構成されており、裏地２０は、第一裏地２１と、第一裏地２１に対して接続された弾性生地からなる第二裏地２２とで構成されている。本例では、第一表地１１の下縁部に第二表地１２の上縁部を接続しており、第一裏地２１の下縁部に第二裏地２２の上縁部を接続している。
【００６１】
表地１０と裏地２０は、重ね合わせて一体化されるものであるため、通常、概略同一形状とされる。表地１０及び裏地２０の形状は、下着用複層生地を用いる下着パーツによっても異なり、特に限定されない。ここでは、第一表地１１及び第一裏地２１を、略逆三角形状に形成しており、第二表地１２及び第二裏地２２を、略三角形状に形成している。第二表地１２及び第二裏地２２は、それぞれ、第一表地１１及び第一裏地２１に対して寸法を小さくしている。
【００６２】
第二実施態様の下着用複層生地は、下着を構成するパーツとして用いられる。図１１は、第二実施態様の下着用複層生地を用いたショーツ２００を正面から見た図である。図１１に示すショーツ２００は、前身頃２０２と、後身頃２０３と、前身頃２０２の下縁部と後身頃２０３の下縁部とを繋ぐ股布２０４（クロッチ）とで構成されているところ、本例の下着用複層生地は、このショーツ２００における、前身頃２０２及び股布２０４を構成する生地として使用するものとなっている。すなわち、図１０に示した下着用複層生地を構成する各生地のうち、第一表地１１及び第一裏地２１によって、図１１に示すショーツ２００における前身頃２０２が形成され、第二表地１２及び第二裏地２２によって、ショーツ２００における股布２０４が形成される。このように、第二実施態様の下着用複層生地は、ショーツ２００における前身頃２０２及び股布２０４からなる部分を構成するものとして好適に採用できるものとなっている。
【００６３】
第二実施態様の下着用複層生地では、その裏地２０（図１０）として、弾性（ストレッチ性）を有する生地（弾性生地）が選択される。本例では、裏地２０を構成する第一裏地２１及び第二裏地２２のうち、ショーツ２００（図１１）における前身頃２０２を構成する第一裏地２１には、パワーネットを用い、ショーツ２００（図１１）における股布２０４を構成する第二裏地２２には、ベア天竺を用いている。このように、裏地２０を弾性生地で形成することによって、ゴムテープを用いなくても、下着用複層生地を着用者の肌にフィットしやすくして、下着のずり上がりやずり落ちを防止することが可能になる。加えて、下着用複層生地から着用者の肌に加わる押圧力（締付力）を、裏地２０の略全体に分散させて、着用者の肌が局所的に圧迫されないようにすることも可能になる。このため、下着の着心地を良好にできるだけでなく、下着の跡が着用者の肌に残らないようにすることも可能になる。
【００６４】
一方、下着用複層生地の表地１０（図１０）としては、装飾が施された生地（装飾生地）が用いられる。本例では、表地１０を構成する第一表地１１及び第二表地１２のうち、ショーツ２００（図１１）における前身頃２０２を構成する第一表地１１には、弾性（ストレッチ性）を有するレース生地（ストレッチレース）を用い、ショーツ２００（図１１）における股布２０４を構成する第二表地１２には、ベア天竺を用いている。このように、裏地２０だけでなく、表地１０も弾性（ストレッチ性）を有する生地とすることによって、下着用複層生地を着用者の肌によりフィットしやすいものとすることができる。また、ショーツ２００（図１１）における前身頃２０２の外面を形成する表地１１を装飾生地とすることによって、ショーツ２００の見た目をお洒落にすることができる。本例では、第一表地１１の上縁部に、縁飾りとしてスカラップ１３を施しており、ショーツ２００の見た目がより華やかになるようにしている。
【００６５】
このように、第一実施態様の下着用複層生地は、フィット感、着心地及び見た目のいずれもが良好なものとなっている。第二実施態様の下着用複層生地の製造方法においては、後述する表地形成工程と、裏地形成工程と、両縁部重合工程と、両縁部縫合工程と、裏返し工程と、三点縫い工程とを経て、このような下着用複層生地を製造している。以下においては、これらの工程について、順に説明する。
【００６６】
［表地形成工程］
第二実施態様の下着用生地は、既に述べたように、表地１０は、第一表地１１と第二表地１２とを繋ぎ合わせたものであるところ、表地形成工程は、第一表地１１と第二表地１２とを繋ぎ合わせて表地１０を形成する工程となっている。本例において、この表地形成工程を、表地重合工程と、表地縫合工程と、表地展開工程とによって構成している。
【００６７】
図１２は、第二実施態様の下着用複層生地の製造方法において、表地重合工程及び表地縫合工程を終えたときの表地１０（第一表地１１及び第二表地１２）の状態を示した図である。図１２（ａ）は、第一表地１１のオモテ面１１Ａ側から表地１０を見た状態を、図１２（ｂ）は、表地１０をそれに垂直な平面で切断した状態を示している。
【００６８】
表地重合工程は、図１２に示すように、第一表地１１のオモテ面１１Ａに第二表地１２のオモテ面１２Ａを重ね、第一表地１１と第二表地１２の接続縁部γ１が重なった状態とする工程である。また、表地縫合工程は、図１２の縫合線Ｓ５に示すように、上記の表地重合工程で互いに重なり合った第一表地１１と第二表地１２の接続縁部γ１を縫合する工程である。これにより、第一表地１１と第二表地１２は、その接続縁部γ１で繋がった状態となる。縫合線Ｓ５における縫合は、通常、ミシンを用いて行われる。縫合線Ｓ５での縫合方法は、特に限定されないが、通常、並縫いや返し縫い等の直線縫いとされる。
【００６９】
図１３は、第二実施態様の下着用複層生地の製造方法において、表地展開工程を終えたときの表地１０（第一表地１１及び第二表地１２）の状態を示した図である。図１３（ａ）は、表地１０を第一表地１１のオモテ面１１Ａ側から見た状態を、図１３（ｂ）は、表地１０をそれに垂直な平面で切断した状態を示している。
【００７０】
表地展開工程は、図１２（ｂ）の矢印Ａ３に示すように、第二表地１２を、第二表地１２のオモテ面１２Ａが第一表地１１のオモテ面１１Ａと同じ側（同図における紙面に向かって左側）を向くように、表地縫合工程における縫合線Ｓ５に沿って開く工程である。これにより、表地１０は、図１３に示す状態となる。
【００７１】
表地展開工程を終えると、表地形成工程は完了する。
【００７２】
［裏地形成工程］
第二実施態様の下着用生地は、既に述べたように、裏地２０は、第一裏地２１と第二裏地２２とを繋ぎ合わせたものであるところ、裏地形成工程は、第一裏地２１と第二裏地２２とを繋ぎ合わせて裏地２０を形成する工程となっている。本例において、この裏地形成工程を、裏地重合工程と、裏地縫合工程と、裏地展開工程とによって構成している。
【００７３】
図１４は、第二実施態様の下着用複層生地の製造方法において、裏地重合工程及び裏地縫合工程を終えたときの裏地２０（第一裏地２１及び第二裏地２２）の状態を示した図である。図１４（ａ）は、第一裏地２１のオモテ面２１Ａ側から裏地２０を見た状態を、図１４（ｂ）は、裏地２０をそれに垂直な平面で切断した状態を示している。
【００７４】
裏地重合工程は、図１４に示すように、第一裏地２１のオモテ面２１Ａに第二裏地２２のオモテ面２２Ａを重ね、第一裏地２１と第二裏地２２の接続縁部γ２が重なった状態とする工程である。また、裏地縫合工程は、図１４の縫合線Ｓ６に示すように、上記の裏地重合工程で互いに重なり合った第一裏地２１と第二裏地２２の接続縁部γ２を縫合する工程である。これにより、第一裏地２１と第二裏地２２は、その接続縁部γ２で繋がった状態となる。縫合線Ｓ６における縫合は、通常、ミシンを用いて行われる。縫合線Ｓ６での縫合方法は、特に限定されないが、通常、並縫いや返し縫い等の直線縫いとされる。
【００７５】
図１５は、第二実施態様の下着用複層生地の製造方法において、裏地展開工程を終えたときの裏地２０（第一裏地２１及び第二裏地２２）の状態を示した図である。図１５（ａ）は、裏地２０を第一裏地２１のオモテ面２１Ａ側から見た状態を、図１５（ｂ）は、裏地２０をそれに垂直な平面で切断した状態を示している。
【００７６】
裏地展開工程は、図１４（ｂ）の矢印Ａ４に示すように、第二裏地２２を、第二裏地２２のオモテ面２２Ａが第一裏地２１のオモテ面２１Ａと同じ側（同図における紙面に向かって左側）を向くように、裏地縫合工程における縫合線Ｓ６に沿って開く工程である。これにより、裏地２０は、図１５に示す状態となる。
【００７７】
裏地展開工程を終えると、裏地形成工程は完了する。
【００７８】
［両縁部重合工程］
図１６は、第二実施態様の下着用複層生地の製造方法において、両縁部重合工程及び両縁部縫合工程を終えたときの表地及び裏地の状態を示した図である。図１６（ａ）は、下着用複層生地を、第一表地１１のウラ面１１Ｂ側から見た状態を、図１６（ｂ）は、表地１０及び裏地２０をそれぞれに垂直な平面で切断した状態を示している。
【００７９】
両縁部重合工程は、図１６に示すように、表地１０（第一表地１１及び第二表地１２）のオモテ面１１Ａ，１２Ａに対して裏地２０（第一裏地２１及び第二裏地２２）のオモテ面２１Ａ，２２Ａを重ね、表地１０の一側の縁部α１を裏地２０の一側の縁部β１に重ね、表地１０の他側の縁部α２を裏地２０の他側の縁部β２に重ねる工程となっている。本例においては、表地１０と裏地２０とを重ねたときに、第一表地１１と第二表地１２との接続部分（縫合線Ｓ５に沿った箇所）と、第一裏地２１と第二裏地２２との接続部分（縫合線Ｓ６に沿った箇所）とが重ならないように、それぞれの接続部分の位置を上下にずらしている。これにより、ショーツ２００（図１１）における前身頃２０２と股布２０４との接続部分において、下着用複層生地が厚くならないようにし、ショーツ２００の履き心地をさらに良好にすることが可能となっている。
【００８０】
この両縁部重合工程は、通常、ミシンテーブル上で行われる。両縁部重合工程を終えると、続いて、両縁部縫合工程が行われる。
【００８１】
［両縁部縫合工程］
両縁部縫合工程は、図１６の縫合線Ｓ７に示すように、互いに重なった状態の表地１０の一側の縁部α１と裏地２０の一側の縁部β１とを縫合するとともに、図１６の縫合線Ｓ８に示すように、同じく互いに重なった状態の表地１０の他側の縁部α２と裏地２０の他側の縁部β２とを縫合する工程である。両縁部縫合工程を終えると、表地１０及び裏地２０は、ウラオモテの筒状（表地１０のオモテ面１１Ａ，１２Ａ及び裏地２０のオモテ面２１Ａ，２２Ａが内周面を為し、表地１０のウラ面１１Ｂ，１２Ｂ及び裏地２０のウラ面２１Ｂ，２２Ｂが外周面を為す筒状）に形成された状態となっている。縫合線Ｓ７，Ｓ８における縫合は、通常、ミシンを用いて行われる。また、縫合線Ｓ７，Ｓ８での縫合方法も、特に限定されないが、通常、並縫いや返し縫い等の直線縫いとされる。
【００８２】
両縁部縫合工程を終えると、続いて、裏返し工程が行われる。
【００８３】
［裏返し工程］
裏返し工程は、図１６（ａ）の矢印Ａ５に示すように、筒状に縫合された表地１０及び裏地２０における一方の開口端部（同図においては紙面に下側の開口端部）を、表地１０及び裏地２０で構成される筒の内部に導き入れて他方の開口端部（同図においては紙面に向かって上側の開口端部）から引き出すことにより、表地１０及び裏地２０を裏返す工程である。これにより、図１７に示すように、表地１０及び裏地２０で構成される筒が裏返された状態となる。図１７は、第二実施態様の下着用複層生地の製造方法において、裏返し工程を終えたときの表地１０及び裏地２０の状態を示した図である。図１７（ａ）は、下着用複層生地を表地１０のオモテ面１１Ａ，１２Ａ側から見た状態を、図１７（ｂ）は、表地１０及び裏地２０をそれぞれに垂直な平面で切断した状態を示している。
【００８４】
裏返し工程を行う前においては、図１６に示すように、表地１０のウラ面１１Ｂ，１２Ｂ及び裏地２０のウラ面２１Ｂ，２２Ｂが外部に露出した状態（ウラ面１１Ｂ，１２Ｂ，２１Ｂ，２２Ｂが筒の外周面となる状態）となっており、表地１０のオモテ面１１Ａ，１２Ａ及び裏地２０のオモテ面２１Ａ，２２Ａが外部に露出しない状態（オモテ面１１Ａ，１２Ａ，２１Ａ，２２Ａが筒の内周面となる状態）となっていた。これに対し、裏返し工程を行った後においては、図１７に示すように、表地１０のオモテ面１１Ａ，１２Ａ及び裏地２０のオモテ面２１Ａ，２２Ａが外部に露出した状態（オモテ面１１Ａ，１２Ａ，２１Ａ，２２Ａが筒の外周面となる状態）となっており、表地１０のウラ面１１Ｂ，１２Ｂ及び裏地２０のウラ面２１Ｂ，２２Ｂが外部に露出しない状態（ウラ面１１Ｂ，１２Ｂ，２１Ｂ，２２Ｂが筒の内周面となる状態）となっている。
【００８５】
また、裏返し工程を行う前においては、図１６に示すように、表地１０の縁部α１及び裏地２０の縁部β１における端縁は、外部に露出した状態となっており、同様に、表地１０の縁部α２及び裏地２０の縁部β２における端縁も、外部に露出した状態となる。これに対し、裏返し工程を行った後においては、図１７に示すように、表地１０の縁部α１及び裏地２０の縁部β１における端縁は、筒の内部に折り返されて、その端縁が隠れた状態となる。同様に、表地１０の縁部α２及び裏地２０の縁部β２における端縁も、筒の内部に折り返されて、その端縁が隠れた状態となる。表地１０の縁部α１，α２及び裏地２０の縁部β１，β２における端縁は、通常、生地を裁断したままの裁断端となっているところ、上記の裏返し工程を行うことで、これらの裁断端を筒の内側に隠し、見た目をスッキリさせるだけでなく、これらの裁断端がほつれないようにすることが可能となっている。
【００８６】
裏返し工程を終えると、続いて、三点縫い工程が行われる。
【００８７】
［三点縫い工程］
三点縫い工程は、図１０に示すように、表地１０の一側の縁部α１と裏地２０の一側の縁部β１とを、両縁部縫合工程における縫合線Ｓ７（図１６を参照。）よりも内側（縁部α２，β２寄り）の縫合線Ｓ９で三点縫いするとともに、表地１０の他側の縁部α２と裏地２０の他側の縁部β２とを、両縁部縫合工程における縫合線Ｓ８（図１６を参照。）よりも内側（縁部α２，β２寄り）の縫合線Ｓ１０で三点縫いする工程である。その詳細は、第一実施態様の下着用複層生地における三点縫い工程と略同様であるため、説明を割愛する。本例では、表地１０の上縁部と裏地２０の上縁部も、縫合線Ｓ１１で三点縫いしている。
【００８８】
三点縫い工程を終えると、第二実施態様の下着用複層生地の製造が完了する。
【符号の説明】
【００８９】
１０    表地（装飾生地）
１０Ａ  表地のオモテ面
１０Ｂ  表地のウラ面
１１    第一表地
１１Ａ  第一表地のオモテ面
１１Ｂ  第一表地のウラ面
１２    第二表地
１２Ａ  第二表地のオモテ面
１２Ｂ  第二表地のウラ面
１３    スカラップ（縁飾り）
２０    裏地（弾性生地）
２０Ａ  裏地のオモテ面
２０Ｂ  裏地のウラ面
２１    第一裏地
２１Ａ  第一裏地のオモテ面
２１Ｂ  第一裏地のウラ面
２２    第二裏地
２２Ａ  第二裏地のオモテ面
２２Ｂ  第二裏地のウラ面
１００    ブラジャー
１０１    バック部分
２００    ショーツ
２０１    サイド部分
２０２    前身頃
２０３    後身頃
２０４    股布（クロッチ）
Ｓ１  第一縫合工程における縫合線
Ｓ２  第二縫合工程における縫合線
Ｓ３  三点縫い工程における縫合線（一側）
Ｓ４  三点縫い工程における縫合線（他側）
Ｓ５  表地縫合工程における縫合線
Ｓ６  裏地縫合工程における縫合線
Ｓ７  両縁部縫合工程における一側の縫合線
Ｓ８  両縁部縫合工程における他側の縫合線
Ｓ９  三点縫い工程における縫合線（一側）
Ｓ１０  三点縫い工程における縫合線（他側）
Ｓ１１  三点縫い工程における縫合線（上縁部）
α１  表地の一側の縁部
α２  表地の他側の縁部
β１  裏地の一側の縁部
β２  裏地の他側の縁部
γ１  第一表地と第二表地の接続縁部
γ２  第一裏地と第二裏地の接続縁部
【図１】
2020004548.tif 000003
【図２】
2020004548.tif 000004
【図３】
2020004548.tif 000005
【図４】
2020004548.tif 000006
【図５】
2020004548.tif 000007
【図６】
2020004548.tif 000008
【図７】
2020004548.tif 000009
【図８】
2020004548.tif 000010
【図９】
2020004548.tif 000011
【図１０】
2020004548.tif 000012
【図１１】
2020004548.tif 000013
【図１２】
2020004548.tif 000014
【図１３】
2020004548.tif 000015
【図１４】
2020004548.tif 000016
【図１５】
2020004548.tif 000017
【図１６】
2020004548.tif 000018
【図１７】
2020004548.tif 000019
【国際調査報告】
2020004548.tif 000020
2020004548.tif 000021